(57)【要約】【課題】使用済みのペットボトルを利用して各種のコインを入れることができる学習効果の大きな貯金箱を形成でき、しかもペットボトルの形状にマッチしたボトルヘッドを提供すること。【解決手段】ペットボトル本体の首部に取り付けて貯金箱を構成するためのボトルヘッドＨであって、ペットボトル本体Ｐの肩部から上方をすっぽりと覆う中空部材１０と、その中空部材１０の上部内側に下方に向かって延びるように取り付けられ、ペットボトル本体Ｐの首部１に取り付けるための筒状の取付部材２０とを備え、中空部材１０は動物やキャラクターの頭部を模した形状をしており、その頭部における口の部分を硬貨の投入口１２とする。肩部２にコインが通る通過孔３を形成したペットボトル本体Ｐに取り付けて貯金箱を構成するものであり、その通過孔３をある程度大きくしておくことで各種サイズのコインを入れることができる。【選択図】図２
0003124639.tif 000002
【実用新案登録請求の範囲】
【請求項１】
ペットボトル本体の首部に取り付けて貯金箱を構成するためのボトルヘッドであって、ペットボトル本体の肩部から上方をすっぽりと覆う中空部材と、その中空部材の上部内側に下方に向かって延びるように取り付けられ、ペットボトル本体の首部に取り付けるための筒状の取付部材とを備え、中空部材は動物やキャラクターの頭部を模した形状をしており、その頭部における口の部分を硬貨の投入口としたことを特徴とするボトルヘッド。
【請求項２】
中空部材における取付部材の底に対応する部分に、空気の流れによって音を出す構造の笛を設けたことを特徴とする請求項１に記載のボトルヘッド。
【考案の詳細な説明】
【技術分野】
【０００１】
本考案は、使用済みのペットボトルを利用した貯金箱の技術分野に属し、詳しくはペットボトル本体に取り付けて貯金箱を構成するためのボトルヘッドに関するものである。
【背景技術】
【０００２】
従来より、使用済みの飲料缶を貯金箱として利用することが種々提案されていたが、使用済みのペットボトルはキャップの付け外しが面倒である等の理由から貯金箱に利用することは行われていなかった。そんな中、最近になって使用済みのペットボトルを利用した貯金箱が提案されるようになってきた（特許文献１参照）。この文献に記載のものは、ペットボトルにおけるキャップの上部平面にコイン投入口を設けるとともに、マスコットフィギュアを取り付けた構成になっている。
【特許文献１】実用新案登録第３１０８５５１号公報
【考案の開示】
【考案が解決しようとする課題】
【０００３】
特許文献１で提案された貯金箱は、キャップにコイン投入口を設けたことにより、キャップを取り外すことなくコインを入れることができ、またマスコットフィギュアを取り付けたことにより、見るのが楽しく貯金する意欲を沸き立たせるというものである。しかもこのペットボトルを利用した貯金箱は、透明で中が見えるので、お金が貯まっていく過程を実感できることから、児童の金銭感覚を養う上で教材的な役目も果たす効果もある。しかしながら、この貯金箱は、ペットボトル本体の首部を通してコインを入れるので、コインのサイズが限定され、１円硬貨しか入れることができず、学習効果が限られるという問題点がある。また、マスコットフィギュアはコイン投入口を塞がないようにしてキャップ上に取り付けるので、小さなものしか作れずあまり目立たないという問題点もある。
【０００４】
本考案は、上記のような問題点に鑑みてなされたものであり、その目的とするところは、使用済みのペットボトルを利用して各種のコインを入れることができる学習効果の大きな貯金箱を形成でき、しかもペットボトルの形状にマッチしたボトルヘッドを提供することにある。
【課題を解決するための手段】
【０００５】
請求項１に記載の考案であるボトルヘッドは、ペットボトル本体の首部に取り付けて貯金箱を構成するためのボトルヘッドであって、ペットボトル本体の肩部から上方をすっぽりと覆う中空部材と、その中空部材の上部内側に下方に向かって延びるように取り付けられ、ペットボトル本体の首部に取り付けるための筒状の取付部材とを備え、中空部材は動物やキャラクターの頭部を模した形状をしており、その頭部における口の部分を硬貨の投入口としたことを特徴としている。
【０００６】
請求項２に記載の考案であるボトルヘッドは、請求項１に記載のボトルヘッドにおいて、中空部材における取付部材の底に対応する部分に、空気の流れによって音を出す構造の笛を設けたことを特徴としている。
【考案の効果】
【０００７】
請求項１に記載の考案であるボトルヘッドは、肩部にコインが通る通過孔を形成したペットボトル本体に取り付けて貯金箱を構成するものであり、その通過孔をある程度大きくしておくことで各種サイズのコインを入れることができることから、児童に対して再利用という環境への配慮を教えるという視点に加え、各種のコインを貯めることで金銭感覚を養うという大きな学習効果を発揮することができる。また、動物やキャラクターの頭部の下にペットボトル本体の胴体があるというペットボトルの形状にマッチしたものとなり、子供にとっては楽しさと貯める嬉しさがあり、お金に対する興味を育むことから、教材として優れた効果を発揮する。
【０００８】
請求項２に記載の考案であるボトルヘッドは、請求項１に記載のボトルヘッドにおいて、中空部材における取付部材の底に対応する部分に、空気の流れによって音を出す構造の笛を設けたことにより、ペットボトル本体の胴体を押すことで音が出ることから、上記効果に加え、楽しさが増すという効果を奏する。
【考案を実施するための最良の形態】
【０００９】
以下、図面を参照して本考案の実施の形態を説明する。
【００１０】
図１は本考案に係るボトルヘッドをペットボトル本体に取り付けて貯金箱とした状態で示す斜視図、図２は図１の貯金箱の縦方向の断面図である。
【００１１】
ボトルヘッドＨは、ペットボトル本体Ｐの首部１に取り付けて使用するもので、ペットボトル本体Ｐの肩部２から上方をすっぽりと覆う中空部材１０と、その中空部材１０の上部内側に下方に向かって延びるように取り付けられ、ペットボトル本体Ｐの首部１に取り付けるための筒状の取付部材２０とを備えている。
【００１２】
このボトルヘッドＨの中空部材１０と取付部材２０は共にポリ塩化ビニル、ポリプロピレン等の軟質樹脂からなる。そして、中空部材１０にはその上部内側に筒状フランジ１１が突出しており、筒状部材２０はその筒状フランジ１１の内側に一体的に取り付けられている。また、中空部材１０はこの例ではブタさんの頭部を模した形状になっており、その頭部における口の部分が硬貨の投入口１２になっている。取付部材２０はペットボトル本体Ｐの首部１の外側に嵌め込まれるが、首部１にあるネジ溝の抵抗を利用して簡単に固定できるようになっている。このようにボトルヘッドＨをペットボトル本体Ｐの首部に取り付けたときには、図示の如く肩部２から上方を隙間なく覆うようになっていることが好ましい。
【００１３】
また、このボトルヘッドＨには、中空部材１０における取付部材２０の底に対応する部分に貫通孔が開けられ、そこに笛３０が取り付けられている。この笛３０は、図３に示すように、リング状の支持部材３１の内側に薄膜３２を張設したもので、その薄膜３２にはスリット３３が形成されており、スリット３３を通る空気の流れで薄膜３２が振動して音を出す構造になっている。
【００１４】
このボトルヘッドＨは、図２に示す如く肩部２にコインが通る通過孔３を形成したペットボトル本体Ｐに取り付けて貯金箱を構成する。すなわち、肩部２の通過孔３に中空部材１０の投入口１２を合わせるようにして、ペットボトル本体Ｐの首部１に取付部材２０を嵌合させ、中空部材１０がペットボトル本体Ｐの肩部２から上方をすっぽりと覆う状態にする。ペットボトル本体Ｐの肩部２の通過孔３は、消費者がカッターナイフ等で適宜の部分を切り取ることで形成するが、各種サイズのコインが通過できるように十分に大きくしておくことが望ましい。なお、ボトルヘッド１０の投入口１２から入れたコインがペットボトル本体２０の通過孔３に上手く入らない場合もあるが、この時は全体を振ることでコインをペットボトル本体Ｐの中に落とせばよい。
【００１５】
この貯金箱は、ブタさんの口からコインを入れることでペットボトル本体Ｐの中にお金を貯めることができる。そして、上記のようにペットボトル本体Ｐの肩部２の通過孔３をある程度大きくしておくことで各種サイズのコインを入れることができ、貯めたコインはペットボトル本体の透明な胴部を通して見ることができる。
【００１６】
また、このボトルヘッドＨには笛１３が付いているので、ペットボトル本体Ｐを手で勢いよく押すと、取付部材２０の中を通って空気が流れることによって音が出る。あたかもブタさんが鳴いているようになり、児童にとっては面白さが倍増する。
【００１７】
なお、この例で挙げたボトルヘッドを始めとして本発明のボトルヘッドは、ペットボトル本体と組み合わせて貯金箱を構成する以外にも、例えばフィギュアのように店頭ＰＯＰとして活用することも可能である。
【００１８】
以上、本考案の実施の形態について詳細に説明してきたが、本考案によるボトルヘッドは、上記実施の形態に何ら限定されるものではなく、本考案の趣旨を逸脱しない範囲において種々の変更が可能であることは言うまでもない。
【００１９】
例えば、上記の例では、中空部材における取付部材の底に対応する部分に笛を設けたが、このような笛はあくまでも任意であり、必要がなければ省略してもよいものである。
【００２０】
また、上記の例では、取付部材はペットボトル本体の首部の外側に嵌め込むようにしたが、取付部材の内面に首部のネジ溝に合う雌ネジを設けておき、首部の外側に螺合して取り付けるようにしてもよい。
【００２１】
また、上記の例では、ブタさんの頭部を模した形状としたが、必要に応じて他の動物やキャラクターの頭部とすればよいものである。
【図面の簡単な説明】
【００２２】
【図１】本考案に係るボトルヘッドをペットボトル本体に取り付けて貯金箱とした状態で示す斜視図である。
【図２】図１の貯金箱の縦方向の断面図である。
【図３】笛の斜視図と断面図である。
【符号の説明】
【００２３】
Ｈ  ボトルヘッド
Ｐ  ペットボトル本体
１  首部
２  肩部
３  通過孔
１０  中空部材
１１  筒状フランジ
１２  投入口
２０  取付部材
３０  笛
３１  支持部材
３２  薄膜
３３  スリット
【図１】
0003124639.tif 000003
【図２】
0003124639.tif 000004
【図３】
0003124639.tif 000005